(57)【要約】【課題】従来の工法により床スラブに段差を形成する場合、段差になる部分を囲むようにして現場で型を形成したり、型の内部に鉄筋を配置したり、この部分の下に支保工を入れてこの部分を下から支えるようにしなければならないので、人手と時間がかかり、建設コストが高くなるという問題があった。【解決手段】この発明に係る段差付き床スラブ構造体は、設置高さが相違する、隣り合う床スラブ構造体と、隣り合う該床スラブ構造体の裏面部の各端部近傍を連結する連結鋼板と、隣り合う該床スラブ構造体の内部のトラス構造体の各端部近傍を連結する間隔保持材とを備えることにより上記課題を解決した。【選択図】        図２
2004176299.tif 000002
【特許請求の範囲】
【請求項１】
設置高さが相違する、隣り合う床スラブ構造体と、隣り合う該床スラブ構造体の裏面部の各端部近傍を連結する連結鋼板と、隣り合う該床スラブ構造体の内部のトラス構造体の各端部近傍を連結する間隔保持材とを備えたことを特徴とする段差付き床スラブ構造体。
【請求項２】
前記床スラブ構造体は、支持鋼板と、該支持鋼板の上方に該支持鋼板に略平行に設けられた上弦材と、該支持鋼板と該上弦材の間に該支持鋼板と略平行に設けられた下弦材と、該上弦材と該支持鋼板の間に途中を該下弦材で支持された状態で斜めに取り付けられたトラス部材とを備え、前記連結鋼板は、前記支持鋼板に取り付けられる一対の取付部と、該取付部をつなぐ連結部とからなる断面略クランク状の鋼板からなり、前記トラス部材の下部が前記支持鋼板を介して該連結鋼板にボルト・ナットで固定され、一方の床スラブ構造体の上弦材の端部近傍と他方の床スラブ構造体の上弦材の端部近傍は前記間隔保持材を介して連結されていることを特徴とする請求項１に記載の段差付き床スラブ構造体。
【請求項３】
前記連結鋼板の傾斜部の内部側には断面略ハット型の補強部材が開口部を内側に向けて取り付けられていることを特徴とする請求項１又は２に記載の段差付き床スラブ構造体。
【請求項４】
前記間隔保持材が山形に折曲加工された孔あき鋼板又は三角断面の鉄筋トラスからなることを特徴とする請求項１〜３のいずれかに記載の段差付き床スラブ構造体。
【発明の詳細な説明】
【０００１】
【発明の属する技術分野】
この発明は段差の有る床や天井を形成するための段差付き床スラブ構造体に関するものである。
【０００２】
【従来の技術】
床や天井は、一般に、所定間隔をおいて設置した梁の上に床スラブ構造体を架け渡し、この床スラブ構造体の上から生コンクリートを打設し、この生コンクリートを硬化させる、という工法で形成されている。ここで、床スラブ構造体とは薄鋼板（デッキプレート）の上に鉄筋を縦横に配置して形成されたものをいう。
【０００３】
ところで、床や天井は常に同一高さになっていることが望ましいが、種々の事情から、段差の形成が避けられない場合が有る。
【０００４】
このような場合は、図８に示すように、段差が形成される部分に型を形成してその内部に鉄筋３８を配置し、この部分の下に支保工（図示せず）を入れてこの部分を支え、この状態で生コンクリートを打設する工法によって段差が形成されている。
【０００５】
型によって囲まれた部分は生コンクリートの硬化によって支持梁４０となり、床や天井の端部を支えることになる。支保工は生コンクリートの硬化後、撤去する。
【０００６】
【発明が解決しようとする課題】
ところで、この従来の工法により段差を形成する場合、建設現場において、段差になる部分を囲むようにして型を形成したり、型の内部に鉄筋を配置したり、この部分の下に支保工を入れてこの部分を下から支えるようにしなければならないので、人手と時間がかかり、建設コストが高くなるという問題があった。
【０００７】
この発明は段差を形成するのに人手と時間ができるだけかからないようにした床スラブ構造体を提供することを目的とする。
【０００８】
【課題を解決するための手段】
この発明に係る床スラブ構造体は、設置高さが相違する、隣り合う床スラブ構造体と、隣り合う該床スラブ構造体の裏面部の各端部近傍を連結する連結鋼板と、隣り合う該床スラブ構造体の内部のトラス構造体の各端部近傍を連結する間隔保持材とを備えたことを特徴とするものである。
【０００９】
ここで、前記床スラブ構造体は、支持鋼板と、該支持鋼板の上方に該支持鋼板に略平行に設けられた上弦材と、該支持鋼板と該上弦材の間に該支持鋼板と略平行に設けられた下弦材と、該上弦材と該支持鋼板の間に途中を該下弦材で支持された状態で斜めに取り付けられたトラス部材とを備えている。
【００１０】
また、前記連結鋼板は、前記支持鋼板に取り付けられる一対の取付部と、該取付部をつなぐ連結部とからなる断面略クランク状の鋼板からなり、前記トラス部材の下部が前記支持鋼板を介して該連結鋼板にボルト・ナットで固定され、一方の床スラブ構造体の上弦材の端部近傍と他方の床スラブ構造体の上弦材の端部近傍は前記間隔保持材を介して連結されている。
【００１１】
前記連結鋼板の傾斜部の内部側には断面略ハット型の補強部材が開口部を内側に向けて取り付けられていてもよい。また、前記間隔保持材としては山形に折曲加工された孔あき鋼板又は三角断面の鉄筋トラスを用いてもよい。
【００１２】
【発明の実施の形態】
図１はこの発明に係る段差付き床スラブ構造体の説明図、図２は図１の要部拡大図、図３は図２のＡ−Ａ矢視図である。
【００１３】
これらの図に示すように、段差付き床スラブ構造体１０は、設置高さが相違する、隣り合う床スラブ構造体１４，１４と、隣り合う床スラブ構造体１４，１４の裏面部の各端部近傍を連結する連結鋼板１６と、隣り合う床スラブ構造体１４，１４の内部のトラス構造体１２の各端部近傍を連結する間隔保持材１８とを備えている。
【００１４】
床スラブ構造体１４は、支持鋼板２０と、支持鋼板２０の上方に支持鋼板２０に略平行に設けられた上弦材２２と、支持鋼板２０と上弦材２２の間に支持鋼板２０と略平行に設けられた下弦材２４と、上弦材２２と支持鋼板２０の間に途中を下弦材２４で支持された状態で斜めに取り付けられたトラス部材２６とを備えている。
【００１５】
連結鋼板１６は、支持鋼板２０に取り付けられる一対の取付部２８，２８と、取付部２８，２８をつなぐ連結部３０とからなる断面略クランク状の鋼板からなる。
【００１６】
トラス部材２６の下部は、図４及び図５に示すように、支持鋼板２０を介して連結鋼板１６にボルト・ナット３２で固定されている。
【００１７】
一方の床スラブ構造体１４の上弦材２２の端部近傍と他方の床スラブ構造体１４の上弦材２２の端部近傍は間隔保持材１８を介して連結されている。間隔保持材１８としては、図６に示すような山形に折曲加工された孔あき鋼板を用いてもよいし、図７に示すような三角断面の鉄筋トラスを用いてもよい。
【００１８】
連結鋼板１６の傾斜部になっている連結部３０の内部側には断面略ハット型の補強部材３４がその開口部を内側に向けて取り付けられている。
【００１９】
この段差付き床スラブ構造体は、建設現場で組み立て形成するか、工場で予め組み立て、これを現場に運んで設置する。
【００２０】
そして、この段差付き床スラブ構造体を梁３６の上に架け渡し、生コンクリートを打設した場合、段差部の下部に掛かる引張力は連結鋼板１６によってトラス構造体１２の下部に伝えられ、段差部の上部に掛かる圧縮力は間隔保持材１８にトラス構造体１２の上部に伝えられるので、段差部は支保工によって支えなくても生コンクリートの荷重が支えられることになる。
【００２１】
また、コンクリートが打設され、硬化した後、補強部材３４の開口部はコンクリートに食い込んだ状態になるので、連結鋼板１６は補強部材３４を介してコンクリートと一体化する。
【００２２】
【発明の効果】
この発明によれば、一方の床スラブ構造体の鉄筋トラスと他方の床スラブ構造体の鉄筋トラスを連結鋼板と間隔保持材で一体的に連結しているので、段差が形成される連結部の強度が高まり、生コンクリートを打設する際に連結部を下方から支保工で支えなくて済み、支保工を設置するための人手と時間が不要になり、その分建設コストを低減することができるという効果がある。
【００２３】
また、この発明によれば、連結鋼板がコンクリート型枠の働きをし、しかも連結鋼板に取り付けられた断面略ハット型の補強部材によりコンクリートと連結鋼板が一体化するので、連結鋼板はコンクリート硬化後、補強部材になり、連結部の強度を高めるという効果がある。
【００２４】
また、この発明によれば、段差が付いた鉄筋トラスの間に該鉄筋トラスと直交する方向に間隔保持材を挿入し、固定するだけの作業で済むので、鉄筋トラスを使用した段差部分の配筋が容易になるという効果がある。
【００２５】
また、この発明によれば、段差部を持った鉄筋トラスを工場で生産することができるので、安価な工業製品として供給することができるという効果がある。
【図面の簡単な説明】
【図１】この発明に係る段差付き床スラブ構造体の説明図である。
【図２】図１の要部拡大図である。
【図３】図２のＡ−Ａ矢視図である。
【図４】トラスの足部の連結構造を示す斜視図である。
【図５】トラスの足部の連結構造を示す側面図である。
【図６】間隔保持材の一例の説明図である。
【図７】間隔保持材の他の例の説明図である。
【図８】従来の工法により形成された段差の有る床スラブの段差部の説明図である。
【符号の説明】
１０  段差付き床スラブ構造体
１２  トラス構造体
１４  床スラブ構造体
１６  連結鋼板
１８  間隔保持材
２０  支持鋼板
２２  上弦材
２４  下弦材
２６  トラス部材
２８  取付部
３０  連結部
３２  ボルト・ナット
３４  補強部材
３６  梁
【図１】
2004176299.tif 000003
【図２】
2004176299.tif 000004
【図３】
2004176299.tif 000005
【図４】
2004176299.tif 000006
【図５】
2004176299.tif 000007
【図６】
2004176299.tif 000008
【図７】
2004176299.tif 000009
【図８】
2004176299.tif 000010